(57)【要約】【課題】２光源のコンパチブル機を１光源の専用機へ転用する際に、ピックアップベースのガイド軸間の間隔を短くしてピックアップの小型化を実現するとともに、コンパチブル機と専用機との間でのピックアップベースの共用化を実現し、製品価格を低減し、生産効率を向上させること。【解決手段】ＤＶＤ／ＣＤコンパチブル機用のピックアップの副軸受けユニット５５をピックアップベース３０に着脱可能とするとともに、ＣＤ用半導体レーザを取り外してＤＶＤ機専用の光ピックアップを形成する際にコンパチブル機の副軸受けユニット５５に替えてピックアップベース３０に装着されるＤＶＤ機専用の副軸受けユニット５８を備え、このＤＶＤ機専用の副軸受けユニット５８を、コンパチブル機用の副軸受けユニット５５よりも小さい形状とする。【選択図】        図４
2005267772.tif 000002
【特許請求の範囲】
【請求項１】
互いに異なる波長を有する光ビームを照射する第一及び第二の光ビーム照射手段のうち少なくとも一の前記光ビーム照射手段と、
前記第一、第二の光ビーム照射手段をそれぞれ搭載する第一及び第二のレーザホルダのうちの少なくとも一のレーザホルダと、
前記第一及び第二のレーザホルダを搭載可能であり、トラッキング方向に移動するための第一ガイド部と、第二ガイド部と前記第二ガイド部に替えて装着される代替ガイド部とのいずれか一方と、を備えたビックアップベースと、
を備え、
前記第二のレーザホルダは着脱可能であって、
前記第二のレーザホルダを取り外して前記代替ガイド部を装着した際の前記代替ガイド部と前記第一ガイド部との間隔は、前記第二ガイド部と前記第一ガイド部との間隔よりも短くなるように形成されてなることを特徴とする光ピックアップ装置。
【請求項２】
前記第二のレーザホルダに搭載される光ビーム照射手段は、前記第一及び前記第二の光ビーム照射手段のうち波長の長い光ビームを照射する手段であることを特徴とする請求項１に記載の光ピックアップ装置。
【請求項３】
前記代替ガイド部は、前記第二のレーザホルダが前記ピックアップベースに取り付けられる際の取りつけ部を覆う形状を呈していることを特徴とする請求項１または２に記載の光ピックアップ装置。
【請求項４】
第一及び第二のレーザホルダにそれぞれ搭載されるとともに互いに異なる波長を有する光ビームを照射する第一及び第二の光ビーム照射手段を搭載する第一の形態と、前記第一及び第二の光ビーム照射手段のうちのいずれか一方を搭載する第二の形態とに変更可能な光ピックアップ装置の調整方法であって、
前記第一及び第二のレーザホルダを搭載可能であり、トラッキング方向に移動するための第一ガイド部と、第二ガイド部又は前記第二ガイド部に替えて装着される代替ガイド部と、を備えたビックアップベースに対して前記第二のレーザホルダを取り外し、
前記代替ガイド部と前記第一ガイド部との間隔を、前記第二ガイド部と前記第一ガイド部との間隔よりも短くなるように、前記第二ガイド部に換えて前記代替ガイド部を装着することを特徴とする光ピックアップ装置の調整方法。
【発明の詳細な説明】
【技術分野】
【０００１】
この発明は、ＣＤ，ＤＶＤなどの波長の異なるレーザ光を発生する２つの半導体レーザを搭載した光ピックアップ装置及び光ピックアップ装置の調整方法に関するものである。
【背景技術】
【０００２】
ＤＶＤとＣＤの双方を再生可能なＤＶＤ／ＣＤコンパチブル機を生産するに当たって、製品価格の低減、生産効率の向上などのために、ＤＶＤ／ＣＤコンパチブル機とＤＶＤ専用機のピックアップベースを共通化することが強く望まれている。また、光ピックアップがノートパソコンなどのポータブル機器に搭載される場合は、光ピックアップの軽薄短小化がより一層希求されている。
【０００３】
コンパチブル機の場合、光源としてＤＶＤ用とＣＤ用の波長の光を発生する２つの半導体レーザを用い、それぞれの光路をハーフミラーやビームスプリッタなどの光束合成素子にて合成し、ひとつの対物レンズを通してディスクの信号面上に記録／再生ビームを集光させるような構成をとっており、通常、ＤＶＤ用の光が光束合成素子を透過し、ＣＤ用の光が反射するように、光束合成素子および２つの半導体レーザを配置している。これは、光束合成素子の反射面を使用するほうが光学的な精度が落ちるためであり、高密度で高精度が要求されるＤＶＤ用レーザの光を透過させている。
【０００４】
このような構成をもつコンパチブル機のピックアップを用いて、ＤＶＤ専用のピックアップを作成しようとする場合、最も簡単な実現方法は、不要なＣＤ用半導体レーザ及びその周辺部品を削除することである。
【０００５】
しかしながら、単に不要なＣＤ用半導体レーザ及びその周辺部品を削除するのみでは、通常、ピックアップベースの両外端部に形成されているピックアップ搬送機構のガイド軸間の距離を短くすることはできず、ピックアップベースを短く（小さく）することができない。このため、ＣＤ用半導体レーザが不要なことを有効に活用して、ピックアップ全体をより小型化するためには、別途専用の設計を行う必要が生じ、開発効率も悪く、設備投資も再度必要となる。
【０００６】
また、不要なＣＤ用半導体レーザを単に削除するのみでは、ピックアップベースにはＣＤ用の光が通過するための孔部が開いてしまい、ここから埃などの異物が進入する問題がある。
【０００７】
また、上記のように、ＤＶＤレーザが透過で、ＣＤレーザが反射の構成の場合であって、光束合成素子からピックアップ対物レンズまでの光学系を直線状に配置した場合は、ＤＶＤ用半導体レーザがピックアップ対物レンズより最遠部に配置されることになるが、ＤＶＤ用の半導体レーザは３方向の位置調整以外に発光点を中心に上下左右２軸方向の傾きを調整する必要がある。このため、ＤＶＤ用の半導体レーザの位置回転調整機構は、ＣＤレーザ用の位置調整機構に比べ、半導体レーザ取付部分より後ろ側の構造、別言すればピックアップベースから突出される部分の構造が大型化し、ピックアップの小型化を妨げる一因となる。
【０００８】
特許文献１には、ＤＶＤなどの高密度光ディスクおよびＣＤなどの低密度光ディスクを再生可能なＤＶＤ／ＣＤのコンパチブル機において、高密度光ディスク用の第１の波長の光を出射する第１の光源と、低密度用ディスク用の第２の波長の光を出射する第２の光源と、第１の波長の光を反射し第２の波長の光を透過するとともにこれら第１および第２の波長の光を光軸に導く光分離手段とを設け、第１の光源は光分離手段が反射する方向に配置し、第２の光源は前記光軸の延長線上に配置することにより、対物レンズを共用して高密度光および低密度ディスクの記録再生を可能にした発明が示されている。
【０００９】
特許文献２には、光ピックアップ装置の装置フレームに、ＤＶＤ用のレーザ光源のための光路分離用光学素子としてのハーフミラーとコリメートレンズを取り付け、これらハーフミラーとコリメートレンズとの間に、ＣＤ−Ｒ用のレーザ光源のための光分離用光学素子を配置し、装置フレームに形成した保持部によってコリメートレンズを第１および第２の保持位置に保持可能とし、ＣＤ−Ｒ用のレーザ光源および光分離用光学素子を取り外して単一光源型とする場合には、コリメートレンズの保持位置を対物レンズから離れた第２の位置に変更して単一光源用の光学系を構成するようにした発明が示されている。
【００１０】
【特許文献１】特開平１０−１５４３４４号公報
【特許文献２】特開２００１−２３２２１号公報
【発明の開示】
【発明が解決しようとする課題】
【００１１】
特許文献１では、光分離手段においてＤＶＤ用レーザが反射されかつＣＤ用レーザが透過されるように各光源および光分離手段を配置することが開示されている。しかしながら、この特許文献１には、コンパチブル機を専用機へ転用する際にピックアップベースを小型化しようとする技術思想は全くない。特許文献２では、２光源型のピックアップを単一光源型にするための発明が開示されているが、この特許文献２にもコンパチブル機を専用機へ転用する際にピックアップベースを小型化しようとする技術思想は全くない。
【００１２】
本発明は、上記に鑑みてなされたものであって、２光源のコンパチブル機を１光源の専用機へ転用する際に、ピックアップベースのガイド軸間の間隔を短くしてピックアップの小型化を実現するとともに、コンパチブル機と専用機との間でのピックアップベースの共用化を実現し、製品価格を低減し、生産効率を向上させる光ピックアップ装置及び光ピックアップ装置の調整方法を提供することを目的とする。
【課題を解決するための手段】
【００１３】
請求項１に記載の光ピックアップ装置は、互いに異なる波長を有する光ビームを照射する第一及び第二の光ビーム照射手段のうち少なくとも一の前記光ビーム照射手段と、前記第一、第二の光ビーム照射手段をそれぞれ搭載する第一及び第二のレーザホルダのうちの少なくとも一のレーザホルダと、前記第一及び第二のレーザホルダを搭載可能であり、トラッキング方向に移動するための第一ガイド部と、第二ガイド部と前記第二ガイド部に替えて装着される代替ガイド部とのいずれか一方と、を備えたビックアップベースとを備え、前記第二のレーザホルダは着脱可能であって、前記第二のレーザホルダを取り外して前記代替ガイド部を装着した際の前記代替ガイド部と前記第一ガイド部との間隔は、前記第二ガイド部と前記第一ガイド部との間隔よりも短くなるように形成されてなることを特徴とする。
【００１４】
請求項４に記載の発明は、第一及び第二のレーザホルダにそれぞれ搭載されるとともに互いに異なる波長を有する光ビームを照射する第一及び第二の光ビーム照射手段を搭載する第一の形態と、前記第一及び第二の光ビーム照射手段のうちのいずれか一方を搭載する第二の形態とに変更可能な光ピックアップ装置の調整方法であって、前記第一及び第二のレーザホルダを搭載可能であり、トラッキング方向に移動するための第一ガイド部と、第二ガイド部又は前記第二ガイド部に替えて装着される代替ガイド部と、を備えたビックアップベースに対して前記第二のレーザホルダを取り外し、前記代替ガイド部と前記第一ガイド部との間隔を、前記第二ガイド部と前記第一ガイド部との間隔よりも短くなるように、前記第二ガイド部に換えて前記代替ガイド部を装着することを特徴とする。
【発明を実施するための最良の形態】
【００１５】
以下に添付図面を参照して、本発明にかかる光ピックアップ装置及び光ピックアップ装置の調整方法の好適な実施例を詳細に説明する。
【実施例】
【００１６】
図１〜図５に従ってこの発明にかかる光ピックアップ装置の実施例１について説明する。図１はＤＶＤ／ＣＤコンパチブル機に適用される光ピックアップ装置の内部構成を示すものであり、図２はＤＶＤ用半導体レーザのレーザホルダおよびＣＤ用半導体レーザのレーザホルダの拡大図であり、図３は光ピックアップ装置に内蔵される光学系の構成例を示すものであり、図４はＤＶＤ専用機に適用される光ピックアップ装置の内部構成を示すものである。
【００１７】
図１に示すように、ＤＶＤ／ＣＤコンパチブル機用の光ピックアップ１０においては、光ビーム照射手段としてのＤＶＤ用半導体レーザ１１とＣＤ用半導体レーザ２１が備えられている。ＤＶＤ用半導体レーザ１１はＤＶＤ用の波長を持つレーザビームを発射し、ＣＤ用半導体レーザ２１はＣＤ用の波長を持つレーザビームを発射する。これら半導体レーザ１１，２１は選択的に駆動される。ＤＶＤ用半導体レーザ１１はレーザホルダ１２によって支持されており、レーザホルダ１２はピックアップベース３０に対し３次元方向の位置調整する機構および半導体レーザ素子の発光点を中心に上下左右２軸方向の傾きを調整する機構を有している。ＣＤ用半導体レーザ２１はレーザホルダ２２によって支持されており、レーザホルダ２２はピックアップベース３０に対し３次元方向の位置調整する機構を有している。レーザホルダ１２，２２は、ピックアップベース３０に対し着脱可能である。
【００１８】
光ピックアップ１０は、金属製のピックアップベース３０を備えており、ピックアップベース３０に光ピックアップを構成する各構成要素が搭載されている。ピックアップベース３０は、図示しない主軸および副軸が挿入される主軸ガイド部としての一対の主軸受け３１および副軸ガイド部としての副軸受け３２を有し、これらを含むピックアップ搬送機構（図示せず）によってトラッキング方向Ａ（光記録媒体としての光ディスクの半径方向）に移動可能である。
【００１９】
ピックアップベース３０には、その上面に開口部が形成され、この開口箇所に、対物レンズ３３，対物レンズホルダ３４、フォーカス駆動コイル（図示せず）およびトラッキング駆動コイル（図示せず）からなるアクチュエータ可動部と、マグネット３５およびヨーク３６などから成るアクチュエータ固定部とを有する対物レンズアクチュエータ３７が設けられている。このアクチュエータ３７によって、対物レンズ３３をピックアップベース３０に対しトラッキング方向Ａおよびフォーカシング方向に移動させる。
【００２０】
ピックアップベース３０の内部には、図２に示すような光学系が収容されている。この光学系は、２つのグレーティング４０，４１、光路合成素子としてのダイクロイックプリズム４２、ビームスプリッタ４３、フロントモニタ用受光素子４４、シリンダレンズ４５、４分割の受光面を有する受光素子４６、液晶収差補正素子４７、コリメータレンズ４８，１／４波長板４９、立ち上げミラー５０および対物レンズ３３を備えている。
【００２１】
ＣＤ用半導体レーザ２１から発射されたレーザビームは、グレーティング４１でトラッキングエラーを検出するための複数の光束（０次光、±１次光）に分離された後、ダイクロイックプリズム４２を介してビームスプリッタ４３に入射される。ビームスプリッタ４３に入射されたレーザビームは、一部が偏向されてフロントモニタ用受光素子４４に入射され、ここでレーザパワーなどがモニタされる。残りのレーザビームは、ビームスプリッタ４３を透過した後、液晶収差補正素子４７で各種の収差補正が行われ、さらにコリメータレンズ４８で平行光になり、１／４波長板４９を透過後、立ち上げミラー５０によって９０度偏向されて対物レンズ３３に入射し、図示しない光ディスク上にスポットを結ぶ。
【００２２】
一方、ＤＶＤ用半導体レーザ１１から発射されたレーザビームは、グレーティング４０、ダイクロイックプリズム４２を介してビームスプリッタ４３に入射される。ビームスプリッタ４３に入射されたレーザビームは、一部が偏向されてフロントモニタ用受光素子４４に入射される。残りのレーザビームは、ビームスプリッタ４３を透過した後、液晶収差補正素子４７で各種の収差補正が行われ、さらにコリメータレンズ４８で平行光になり、１／４波長板４９を透過後、立ち上げミラー５０を経て、対物レンズ３３に入射し、光ディスク上にスポットを結ぶ。
【００２３】
光ディスクで反射された戻り光は、対物レンズ３３、立ち上げミラー５０、１／４波長板４９、コリメータレンズ４８、液晶収差補正素子４７を透過後、ビームスプリッタ４３で偏向され、その後、シリンダレンズ４５を経て受光素子４６に入射する。この受光素子４６による検出信号に基づき、ファーカスエラー信号、トラッキングエラー信号などが生成されるとともに、光記録媒体の記録情報を復調再生した再生信号が取得される。
【００２４】
図３はレーザホルダ１２，２２の構成を示すものである。ＣＤ用半導体レーザ２１を支持するレーザホルダ２２の前面には、前述のグレーティング４１が固定され、このレーザホルダ２２はピックアップベース３０に対しＸ，Ｙ，Ｚの３方向についての位置決め調整を行った後、ピックアップベース３０に対し固定される。
【００２５】
ＤＶＤ用半導体レーザ１１を支持するレーザホルダ１２は、内側ホルダ１２ａおよび外側ホルダ１２ｂの２つのホルダで構成されている。ＤＶＤ用半導体レーザ１１は内側ホルダ１２ａに固定されており、内側ホルダ１２ａの外側ホルダ１２ｂに当接する外周面は球面状に形成されている。外側ホルダ１２ｂの内側ホルダ１２ａに当接する内周面も球面状に形成されている。したがって、内側ホルダ１２ａは外側ホルダ１２ｂに対し回動可能であり、これにより半導体レーザ１１は半導体レーザ素子の発光点を中心に上下左右２軸方向の傾きを調整することができる。外側ホルダ１２ｂは、ピックアップベース３０に対しＸ，Ｙ，Ｚの３方向についての位置決め調整を行った後、ピックアップベース３０に対し固定される。
【００２６】
つぎに、本発明の要部について説明する。本ＤＶＤ／ＣＤコンパチブル機用のピックアップ装置１０においては、副軸受け部３２を含む副軸受けユニット５５は、ピックアップベース３０と別体となっており、ピックアップベース３０に対しネジ５６によって着脱可能となっている。また、図２に示すように、光路合成素子としてのダイクロイックプリズム４２において、ＤＶＤ用半導体レーザ１１からのレーザ光が反射されて対物レンズ３３側に出射され、ＣＤ用半導体レーザ２１からのレーザ光が透過されて対物レンズ３３側に出射されるように、ダイクロイックプリズム４２、ＤＶＤ用半導体レーザ１１およびＣＤ用半導体レーザ２１がピックアップベース３０に対し配置されている。
【００２７】
図４は、図１に示したＤＶＤ／ＣＤコンパチブル機用のピックアップ装置１０が転用されることによって構成されるＤＶＤ専用機用のピックアップ装置６０の構成を示すものである。このＤＶＤ専用機用のピックアップ装置６０は、図１に示すＤＶＤ／ＣＤコンパチブル機用のピックアップ装置１０における副軸受けユニット５５、ＣＤ用半導体レーザ２１およびその周辺部品としてのレーザホルダ２２が取り外され、その後代替副軸受けユニットとしてのＤＶＤ専用機用副軸受けユニット５８をピックアップベース３０に取り付けるのみの簡単な作業工程によって作成される。したがって、同じピックアップベース３０が、両ピックアップで共用される。
【００２８】
コンパチブル機用の副軸受けユニット５５においては、副軸受けユニット５５の副軸受け部３２の突出長を、ＣＤ用半導体レーザ２１のレーザホルダ２２がピックアップベース３０から突出される部分より長くする必要があり、コンパチブル機用のピックアップベース３０の主軸受け部３１と副軸受け部３２の間隔、すなわちガイド軸の軸間距離はＤ１となる。
【００２９】
一方、ＤＶＤ専用機用の副軸受けユニット５８は、ＣＤ用半導体レーザ２１のレーザホルダ２２が取り外されるので、その分、副軸受け部５７の突出長を短くしている。このため、ＤＶＤ専用機用のピックアップベース３０における主軸受け部３１と副軸受け部５７の間隔Ｄ２は、コンパチブル機用のものに比べ短くすることができる（Ｄ２＜Ｄ１）。このように、ＤＶＤ専用機用の副軸受けユニット５８は、そのガイド軸間距離Ｄ２がコンパチブル機用のものに比べ短くなるように形成されている。
【００３０】
ここで、図１において、ＤＶＤ用半導体レーザ１１をダイクロイックプリズム４２の透過の位置に配し、ＣＤ用半導体レーザ２１をダイクロイックプリズム４２の反射の位置に配するようにした場合、ＤＶＤ用半導体レーザ１１が副軸受けユニット５５の隣に配設されるので、ＣＤ用半導体レーザおよびそのレーザホルダ２２を削除してＤＶＤ専用機に転用しようとしても、ＤＶＤ用半導体レーザ１１のレーザホルダ１２が邪魔をして上記ガイド軸間距離を短くすることはできない。
【００３１】
そこで、実施例１では、前述したように、ＤＶＤ用半導体レーザ１１をダイクロイックプリズム４２の反射の位置に配し、ＣＤ用半導体レーザ２１をダイクロイックプリズム４２の透過の位置に配するようにしている。このため、実施例１では、ＤＶＤ用半導体レーザ１１をダイクロイックプリズム４２の透過の位置に配し、ＣＤ用半導体レーザ２１をダイクロイックプリズム４２の反射の位置に配するものに比べ、ピックアップベース３０の副軸受けユニット５５が当接する側面から突出される副軸受け部３２の長さを短くすることができ、これにより、ＤＶＤ／ＣＤコンパチブル機用のガイド軸の軸間距離Ｄ１、ひいては光ピックアップ全体の大きさを小さくすることができる。
【００３２】
さらに、ＤＶＤ専用機用の副軸受けユニット５８は、ＣＤ用半導体レーザ２１のレーザホルダ２２を取り除いた際に出現する孔部を塞ぐように、この孔部（レーザホルダ２２の取付位置）まで延在された形状としているので、該孔部から塵埃等の異物が侵入したり、半導体レーザの光が外へ漏れて人体に悪影響を及ぼすことを避けることができる。
【００３３】
図５は、ＣＤ用半導体レーザ２１のレーザホルダ２２についての構成例を示すものである。ＣＤ用レーザホルダ２２は、半導体レーザ素子２３が搭載された半導体レーザ２１を支持固定するものであり、ピックアップベース３０に対し、Ｘ，Ｙ，Ｚ方向に位置調整することができる。この場合、図５の上図より図５の下図のほうが、レーザホルダ２２におけるピックアップベース３０の内側に挿入される部分の長さを短くしている。なお、このようにレーザホルダ２２の形状を変化させても、半導体レーザ素子２３、グレーティング４１およびダイクロイックプリズム４２の位置関係は固定とする必要がある。
【００３４】
図５の上図および下図を比べれば判るように、レーザホルダ２２におけるピックアップベース３０の内側に挿入される部分の長さを短くしたほうが、ピックアップベース３０の長さを短く設定することができ、これにより上記軸間距離Ｄ１（Ｄ２）、ひいては光ピックアップ全体の大きさを小さくすることができる。したがって、ＣＤ用半導体レーザ２１のレーザホルダ２２としては、図５の下図に示すように、ピックアップベース３０の内側に挿入される部分の長さを短くしたほうが、望ましい。
【００３５】
このように実施例では、副軸受けユニット５５をピックアップベース３０に着脱可能とするとともに、ガイド軸間距離Ｄ２がコンパチブル機用のものに比べ短くなるように形成されたＤＶＤ専用機用の副軸受けユニット５８をピックアップベース３０に装着することによりＤＶＤ専用機用のピックアップベースの作成するようにしているので、コンパチブル機とＤＶＤ専用機のピックアップベースを共通化するとともに、ＤＶＤ専用機へ転用する際にガイド軸の軸間距離を短くする小型化も同時に実現することができ、製品価格を低減し、生産効率を向上させることができる。また、ＤＶＤ専用機用の副軸受けユニット５８は、ＣＤ用半導体レーザ２１のレーザホルダ２２を取り除いた際に出来る孔部を塞ぐような形状、すなわちＣＤ用半導体レーザ２１がピックアップベースに取り付けられる際の取りつけ部を覆う形状を呈しているので、該孔部から塵埃等の異物が侵入したり、半導体レーザの光が外へ漏れることを防止することができる。さらに、ＤＶＤ用半導体レーザ１１をダイクロイックプリズム４２の反射の位置に配し、ＣＤ用半導体レーザ２１をダイクロイックプリズム４２の透過の位置に配するようにしているので、ピックアップベースのガイド軸の軸間距離を短くすることができる。
【００３６】
なお、実施例では、副軸受け部ユニット５５，５８を着脱自在としているが、主軸受け部３１側が、半導体レーザが搭載される側のピックアップベース側面に設けられる場合は、主軸受け部３２をユニット化して、ピックアップベースに対し着脱自在とするようにしてもよい。
【００３７】
また、本願では、ＣＤとＤＶＤのコンパチピックアップについて述べたが、ＤＶＤ用レーザ光と青色光を使った光ディスクシステムの互換ピックアップにも適用することができる。すなわち、波長の異なるレーザ光を発生する２つの半導体レーザがピックアップベースに搭載されるものであれば、他の任意のピックアップ装置に適用することができる。また、本発明は、光ディスク記録再生装置、ＤＶＤ／ＣＤレコーダ、ＤＶＤ／ＣＤプレーヤ、ＰＣ用ＤＶＤ／ＣＤドライブ、青紫色のレーザ光を用いたＡＯＤ（Advanced Optical Disc）などの次世代ディスクシステムなどに適用することができる。
【図面の簡単な説明】
【００３８】
【図１】この発明にかかる光ピックアップ装置のＤＶＤ／ＣＤコンパチブル機の構成例を示す斜視図である。
【図２】光ピックアップ装置に搭載される光学系を例示する斜視図である。
【図３】レーザホルダ部の詳細を示す拡大斜視図である。
【図４】この発明にかかる光ピックアップのＤＶＤ専用機の構成例を示す図である。
【図５】レーザホルダの構成例を示す図である。
【符号の説明】
【００３９】
１０，６０  ピックアップ装置（光ピックアップ）
１１  ＤＶＤ用半導体レーザ
１２  レーザホルダ
１２ａ  内側ホルダ
１２ｂ  外側ホルダ
２１  ＣＤ用半導体レーザ
２２  レーザホルダ
２３  半導体レーザ素子
３０  ピックアップベース
３１  主軸受け部
３２，５７  副軸受け部
３３  対物レンズ
３４  対物レンズホルダ
３５  マグネット
３６  ヨーク
３７  対物レンズアクチュエータ
４０，４１  グレーティング
４２  ダイクロイックプリズム
４３  ビームスプリッタ
４４  フロントモニタ用受光素子
４５  シリンダレンズ
４６  受光素子
４７  液晶収差補正素子
４８  コリメータレンズ
４９  １／４波長板
５０  立ち上げミラー
５５  副軸受けユニット（コンパチブル機用）
５８  副軸受けユニット（ＤＶＤ専用機用）
【図１】
2005267772.tif 000003
【図２】
2005267772.tif 000004
【図３】
2005267772.tif 000005
【図４】
2005267772.tif 000006
【図５】
2005267772.tif 000007